(57)【要約】      （修正有）【課題】常時顔面に装着しておく必要がなく、必要の都度簡単に使える飛沫防止具を提供する。【解決手段】マスク部１１と一対の耳かけ紐１２、１３とからなるマスク１と、マスク１を人の手で顔面に保持するための保持具２とからなる。保持具２は、人の手で持つ握り部２１と、マスク１を広げた状態でマスク部１１を保持し、かつ耳かけ紐１２、１３を引掛けてマスク部１１を保持する左マスク保持片２２と右マスク保持片２３とを備える。握り部２１があるので手で持ちやすく、左マスク保持片２２と右マスク保持片２３で耳かけ紐１２、１３を使ってマスク部１１を保持できるので、手で持って顔面にマスク１を保持する使い方が容易に行える。【選択図】図２
0003230836.tif 000002
【実用新案登録請求の範囲】
【請求項１】
マスク部と一対の耳かけ紐とならなるマスクと、
該マスクを人の手で顔面に保持するための保持具とからなる
ことを特徴とする飛沫防止具。
【請求項２】
前記保持具は、人の手で持つ握り部と、
前記マスクを広げた状態で前記マスク部を保持し、かつ前記耳かけ紐を引掛けて前記マスク部を保持するマスク保持部とを備える
ことを特徴とする請求項１記載の飛沫防止具。
【請求項３】
前記マスク保持部は、左右一対となる左マスク保持片および右マスク保持片とからなり、
該左マスク保持片および右マスク保持片は前記握り部に連続して形成されている
ことを特徴とする請求項２記載の飛沫防止具。
【請求項４】
前記保持具は、紙製である
ことを特徴とする請求項１記載の飛沫防止具。
【考案の詳細な説明】
【技術分野】
【０００１】
本考案は、飛沫防止具に関する。
【背景技術】
【０００２】
ウイルスの感染予防には人の口から飛散する呼気を妨ぐマスクまたはフェイスシールドの装着が効果的とされている。
特許文献１の従来技術は、使用者の口及び外鼻孔を被覆できるとともに、取外さずに飲食することができるマスク型シールドであって、マスク型シールド１０は、使用者の口と外鼻孔を覆うシールド本体１２をフレーム１３に取付け、フレームの両端に接続された一対の線状体１４を使用者の耳に掛けるよう構成されている。
しかるに、マスク型シールドは重く装着者は不自由を感じやすい。
【０００３】
特許文献２の従来技術は、装着者の口から飛散される呼気を他人に正面から直接放射せず、また他人からの呼気を直接正面から受けず、更にマスク本体を上に動かすことで、マスクを着けたまま飲食、会話することを可能にするフェイスシールドに似たマスクであって、透明のポリプロビレン又は塩化ビニール製のシートを型紙に沿って切り抜き、マスク本体１及び額抑え２、マスク支え３を一体のものとして作成し、自分の口や相手の口から飛散される呼気が装着者のマスク本体に当たるよう構成されている。
しかるに、このマスクは顔面における眼の周り以外を覆うものであるため、装着や取り外しに手間がかかりわずらわしいものである。
【先行技術文献】
【特許文献】
【０００４】
【特許文献１】実用新案登録第３２２８３４８号公報
【特許文献２】実用新案登録第３２２８９４３号公報
【考案の概要】
【考案が解決しようとする課題】
【０００５】
本考案は上記事情に鑑み、常時顔面に装着しておく必要がなく、必要の都度簡単に使える飛沫防止具を提供することを目的とする。
【課題を解決するための手段】
【０００６】
第１考案の飛沫防止具は、マスク部と一対の耳かけ紐とならなるマスクと、該マスクを人の手で顔面に保持するための保持具とからなることを特徴とする。
第２考案の飛沫防止具は、第１考案において、前記保持具は、人の手で持つ握り部と、前記マスクを広げた状態で前記マスク部を保持し、かつ前記耳かけ紐を引掛けて前記マスク部を保持するマスク保持部とを備えることを特徴とする。
第３考案の飛沫防止具は、第２考案において、前記マスク保持部は、左右一対となる左マスク保持片および右マスク保持片とからなり、該左マスク保持片および右マスク保持片は前記握り部に連続して形成されていることを特徴とする。
第４考案の飛沫防止具は、第１考案において、前記保持具は、紙製であることを特徴とする。
【考案の効果】
【０００７】
第１考案によれば、保持具を手で持ってマスクを顔面に保持できるので、必要の都度簡単に使え、常時顔面に装着しておくわずらわしさから解放される。
第２考案によれば、握り部があるので手で持ちやすく、マスク保持部で耳かけ紐を使ってマスク部を保持できるので、手で持って顔面にマスクを保持する使い方が容易に行える。
第３考案によれば、左右一対のマスク保持片と握り部が一連に続いた部材なので、紙を素材として簡単に製作できる。
第４考案によれば、紙製なので安価に製作できる。
【図面の簡単な説明】
【０００８】
【図１】本考案の一実施形態に係る飛沫防止具Ａの使用状態を示す説明図である。
【図２】飛沫防止具Ａにおけるマスク１と保持具２を分けて示す平面図である。
【図３】飛沫防止具Ａの裏面図である。
【図４】飛沫防止具Ａの正面図である。
【考案を実施するための形態】
【０００９】
つぎに、本考案の実施形態を図面に基づき説明する。
図３は使用時には顔側になる裏面を示し、図２および図４は使用時には非顔側となる正面を示している。本明細書で左右は図３を基準として用いる。なお、保持具２の正面はドットを付しており、裏面はドットを付さないで形状線のみを示している。
【００１０】
本実施形態の飛沫防止具Ａは、図２に示すようにマスク１と保持具２とから構成される。
マスク１は市販のマスクをとくに制限なく用いることができる。図示のマスク１は四角形のマスク部１１と、その両端にそれぞれ取り付けられた耳かけ紐１２，１３とからなる。マスク１の素材は、不織布や綿布など任意のものであってよい。
【００１１】
保持具２は、上記したマスク１を顔面で保持するための手段である。
保持具２は、人の手で持つ握り部２１と、マスク１を広げた状態でマスク部１１を保持し、かつ耳かけ紐１２，１３を引掛けてマスク部１１を保持するマスク保持部とを備える。
マスク保持部は、左右一対となる左マスク保持片２２および右マスク保持片２３とからなり、左マスク保持片２２および右マスク保持片２３は連結部２４を介して握り部２１に連続するように形成されている。
【００１２】
保持具２は、上記のように一体に連なった部材であり、素材は紙や樹脂シートなどが利用できる。
保持具２は手で持った状態で、その形状を維持できる程度の剛性をもつことが望ましく、そのため、紙や樹脂シートは多少とも厚みのある厚紙か厚手のシートとすることが好ましい。
【００１３】
以下、図３に基づき説明する。なお、図２および図４での左右は、図３の左右と反対となる。
左マスク保持片２２の上端には引掛け孔３１が形成され、下端には引掛け孔３２が形成されている。この引掛け孔３１，３２にはマスク１の耳かけ紐１２が通される。
右マスク保持片２３の上端には引掛け孔３３が形成され、下端には引掛け孔３４が形成されている。この引掛け孔３３，３４にはマスク１の耳かけ紐１３が通される。
【００１４】
図２および図４に示すように、握り部２１と連結部２４の境界部分には、引掛け片３６，３７が形成されている。また連結部２４の中央上端部には引掛け片３５が形成されている。
引掛け片３５にはマスク１のマスク部１１の下線が保持される。
図３に示すように、引掛け片３６，３７には耳かけ紐１２，１３の末端部が引掛けられる。
【００１５】
本実施形態の飛沫防止具Ａは、不使用時には、図２に示すようにマスク１と保持具２とを分離しておいて、保管したり携帯することが可能であり、販売時に販売用商品袋に別々に収納しておくこともできる。
【００１６】
使用に際しては、図３および図４に示すように、耳かけ紐１２，１３を保持具２に引掛けてマスク１を装着する。この状態で、マスク１の中央部上端を上に引っ張り上げれば、マスク１は立体的な形となり、口元にゆとりのある空間を確保できる。
そして、図１に示すように、保持具２を手で持ってマスク１を顔面に保持できるので、必要の都度簡単に使え、常時顔面に装着しておくわずらわしさから解放される。
また、握り部２１があるので手で持ちやすく、手で持って顔面にマスク１を保持する使い方が容易に行える。
【００１７】
本実施形態の飛沫防止具Ａは、左右一対のマスク保持片２２，２３と握り部２１が一連に続いた部材なので、紙や樹脂シートを素材として簡単に製作できる。
また、素材を紙とすると安価に製作できる。
【符号の説明】
【００１８】
１  マスク
２  保持具
１１  マスク部
１２、１３  耳かけ紐
２１  握り部
２２  左マスク保持片
２３  右マスク保持片
【図１】
0003230836.tif 000003
【図２】
0003230836.tif 000004
【図３】
0003230836.tif 000005
【図４】
0003230836.tif 000006